(57)【要約】【課題】電力用ケーブルを保護するための硬い金属性の上面保護シートを使用することなく、薄型の電力用ケーブルを使用した場合に、表面に凹凸を生じることがなく、漏電対策が可能な置き敷きタイル、そのタイルを敷設して形成される敷設タイル床及びその敷設方法を提供すること。【解決手段】置き敷きタイル（１）は、可塑性プラスチックからなるタイル本体（２）と、タイル本体（２）の一側表面である第１面に配置された導電性部材（３）と、第１面に対向する第２面に配置され、周辺部分が第１面の側に折り込まれて導電性部材（２）の周辺部分に接着されているタイルカバー（４）とを備える。【選択図】    図１
2005002613.tif 000002
【特許請求の範囲】
【請求項１】
可塑性プラスチックからなるタイル本体と、
該タイル本体の一側表面である第１面に配置された導電性部材とを備えていることを特徴とする置き敷きタイル。
【請求項２】
前記導電性部材が、金属箔、金属メッシュ、又は前記第１面に導電性塗料を塗布若しくは吹き付けして形成された導電層であることを特徴とする請求項１に記載の置き敷きタイル。
【請求項３】
前記タイル本体の、前記第１面と反対側の第２面に配置されたタイルカバーをさらに備え、
前記タイル本体がリサイクルプラスチックからなることを特徴とする請求項１又は２に記載の置き敷きタイル。
【請求項４】
前記タイルカバーの周辺部分が前記第１面の側に折り込まれて、前記導電性部材の周辺部分に接着されていることを特徴とする請求項３に記載の置き敷きタイル。
【請求項５】
前記タイルカバーの周辺部分が前記第１面の側に折り込まれて、前記第１面に接着され、
前記導電性部材の周辺部分が、前記タイルカバーの前記第１面に接着していない面に接着していることを特徴とする請求項３に記載の置き敷きタイル。
【請求項６】
床の上に配置された複数の導電性接続手段と、
可塑性プラスチックからなるタイル本体、及び該タイル本体の一側表面に配置された導電性部材を装備した複数の置き敷きタイルとを備え、
前記導電性接続手段が、前記置き敷きタイルが前記床に配置された場合に、隣接する前記置き敷きタイルの境界が位置することとなる前記床面上の位置に配置され、
前記置き敷きタイルが、少なくとも２枚の隣接する前記置き敷きタイルの裏面の前記導電性部材が、複数の前記導電性接続手段の中の同じ導電性接続手段に接触するように、前記床に配置されていることを特徴とする敷設タイル床。
【請求項７】
電力用ケーブルを床面に配置する第１ステップと、
可塑性プラスチックからなるタイル本体と、該タイル本体の一側表面に配置された導電性部材とを備えた複数の置き敷きタイルが配置された場合に、隣接する前記置き敷きタイルの境界が位置する前記床面上の位置に、導電性接続手段を配置する第２ステップと、
少なくとも２枚の隣接する前記置き敷きタイルの裏面の前記導電性部材が、複数の前記導電性接続手段の中の同じ導電性接続手段に接触するように、前記置き敷きタイルを配置する第３ステップとを含むことを特徴とするタイル敷設方法。
【発明の詳細な説明】
【０００１】
【発明の属する技術分野】
本発明は、接着剤を使用することなく、置き敷くことのみによって床に敷設されるタイルに関する。
【０００２】
【従来の技術】
事務所などのＯＡ化に伴い、既存の床の上に新たに床を設けて、これにより形成された空間内にＯＡ機器用の電力用ケーブル、通信用ケーブルなどを配置することが行われている。しかし、この方法では、床上げのための工事が必要である、天井高さが低くなる、扉の開閉が困難となるなどの問題があり、これらの問題を解決するために、薄型の電力用ケーブル、通信用ケーブルを使用して、これらのケーブルをタイルカーペットの下に配置することが行われている（以下、アンダーカーペット配線と記す）。図６は、この方式によるケーブル配線を説明する斜視図である。
【０００３】
図６において、床面１０に配置された下面保護シート１１の上に電力用ケーブル１２が配置され、その上にさらに電力用ケーブル１２を保護するための上面保護シート１３が配置され、これらが位置ずれを起こさないように、上面保護シート１３の両側部と床面１０とが粘着テープ１４で固定されている。さらに、それらの上に、所定の大きさ、形状の複数のタイルカーペット１５が配置される。
【０００４】
ここで、タイルカーペット１５は、重ねられた電力用ケーブル１２及び上下面の保護シート１１、１３と床面１０との段差を吸収するために、柔軟性のタイルカーペット（例えば、表面が繊維で形成され、裏面が軟質塩化ビニールで形成された積層構造）が使用され、床面１０に接着剤を使用して固定される。また、上面保護シート１３には、保護対象のケーブルよりも若干幅が広く、薄い金属、例えば、厚さが約０．１ｍｍの鉄、ステンレスなどを使用する。これによって、上面保護シート１３は、ピンや刃物などの鋭利な物によって柔軟性のタイルカーペット１５が貫通され、電力用ケーブル１２が損傷されることを防止し、また、万一電力用ケーブル１２が損傷して漏電が発生した場合に、漏洩電流を接地（床面１０）に逃がすことが可能となる。特に、電力用ケーブル１２として、導体部の断面形状がシート状で、導体部の周囲の被覆カバーを含めた総厚さが１ｍｍ程度の薄型ケーブルを使用する場合、被覆カバーが非常に薄いことから、損傷防止のために上面保護シート１３には所定以上の強度、厚さが要求される。
【０００５】
一方、柔軟性のあるカーペットを床に接着する代わりに、下記特許文献１には、接地面とのフィッティング性に優れたスチレン−ブタジエン−ゴムとスチレン−ブタジエン−スチレンとの混合エラストマーを裏面に備えたタイルを使用することが開示されている。また、下記特許文献２には、表面にワックスを固化させた保護膜を備え、プラスチックなどの素材を使用したタイルなどを、床に置き敷くことが開示されている。
【０００６】
【特許文献１】
特開平８−４２６４号公報
【０００７】
【特許文献２】
特開２００２−３７１７０１号公報
【０００８】
【発明が解決しようとする課題】
上記したアンダーカーペット配線方法では、薄型の電力用ケーブル１２を使用するが、その上下面に保護シート１１、１３を設置するために、床面１０と段差を生じ、柔軟なタイルカーペット１５の表面に凹凸が生じる問題があった。特に、帯状の上面保護シート１３を使用することから、複数の電力用ケーブル１２が交差する場所では、複数の上面保護シート１３が重なることとなり、タイルカーペット１５の表面に、より一層段差のある凹凸が生じることとなっていた。
【０００９】
また、電力用ケーブル１２の上に、電力用ケーブル１２よりも少し幅の広い上面保護シート１３を正確に配置する作業、電力用ケーブル１２及び上下面の保護シート１１、１３のずれを防止するために、上面保護シート１３を床面１０に粘着テープ１４で固定する作業、さらには、タイルカーペット１５を床に接着剤で接着する作業が必要であり、敷設作業に非常に時間がかかる問題があった。
【００１０】
また、タイルカーペット１５下の配線レイアウトの変更やケーブルのメンテナンスを行うためには、床面１０に接着したタイルカーペット１５を剥がすことが必要であることから、配線レイアウトの変更やケーブルのメンテナンスなどが非常に困難であり、時間と費用がかかる問題もあった。
【００１１】
また、柔軟なタイルカーペットの代わりに、上記した特許文献１、２に開示されているタイルを使用することも可能ではあるが、その場合、各々のタイル表面に部分的に凹凸が生じることは軽減されても、硬い金属製の上面保護シートのために、タイル面の傾斜や、隣接するタイル間の境界部分に段差が生じる問題がある。
【００１２】
上記の課題を解決するために、本発明は、電力用ケーブルを保護するための硬い金属性の上面保護シートを使用することなく、薄型の電力用ケーブルを使用した場合に、表面に凹凸を生じることがなく、漏電対策が可能な置き敷きタイル、そのタイルを敷設して形成される敷設タイル床及びその敷設方法を提供することを目的とする。
【００１３】
【課題を解決するための手段】
本発明の目的は、以下の手段によって達成される。
【００１４】
即ち、本発明に係る置き敷きタイル（１）は、可塑性プラスチックからなるタイル本体と、該タイル本体の一側表面である第１面に配置された導電性部材とを備えていることを特徴としている。
【００１５】
また、本発明に係る置き敷きタイル（２）は、上記置き敷きタイル（１）において、前記導電性部材が、金属箔、金属メッシュ、又は前記第１面に導電性塗料を塗布若しくは吹き付けして形成された導電層であることを特徴としている。
【００１６】
また、本発明に係る置き敷きタイル（３）は、上記置き敷きタイル（１）又は（２）において、前記タイル本体の、前記第１面と反対側の第２面に配置されたタイルカバーをさらに備え、前記タイル本体がリサイクルプラスチックからなることを特徴としている。
【００１７】
また、本発明に係る置き敷きタイル（４）は、上記置き敷きタイル（３）において、前記タイルカバーの周辺部分が前記第１面の側に折り込まれて、前記導電性部材の周辺部分に接着されていることを特徴としている。
【００１８】
また、本発明に係る置き敷きタイル（５）は、上記置き敷きタイル（３）において、前記タイルカバーの周辺部分が前記第１面の側に折り込まれて、前記第１面に接着され、前記導電性部材の周辺部分が、前記タイルカバーの前記第１面に接着していない面に接着していることを特徴としている。
【００１９】
また、本発明に係る敷設タイル床は、床の上に配置された複数の導電性接続手段と、可塑性プラスチックからなるタイル本体、及び該タイル本体の一側表面に配置された導電性部材とを装備した複数の置き敷きタイルとを備え、前記導電性接続手段が、前記置き敷きタイルが前記床に配置された場合に、隣接する前記置き敷きタイルの境界が位置することとなる前記床面上の位置に配置され、前記置き敷きタイルが、少なくとも２枚の隣接する前記置き敷きタイルの裏面の前記導電性部材が、複数の前記導電性接続手段の中の同じ導電性接続手段に接触するように、前記床に配置されていることを特徴としている。
【００２０】
また、本発明に係るタイル敷設方法は、電力用ケーブルを床面に配置する第１ステップと、可塑性プラスチックからなるタイル本体と、該タイル本体の一側表面に配置された導電性部材とを備えた複数の置き敷きタイルが配置された場合に、隣接する前記置き敷きタイルの境界が位置する前記床面上の位置に、導電性接続手段を配置する第２ステップと、少なくとも２枚の隣接する前記置き敷きタイルの裏面の前記導電性部材が、複数の前記導電性接続手段の中の同じ導電性接続手段に接触するように、前記置き敷きタイルを配置する第３ステップとを含むことを特徴としている。
【００２１】
【発明の実施の形態】
以下、本発明に係る実施の形態を、添付した図面に基づいて説明する。
【００２２】
図１は、本発明の実施の形態に係る置き敷きタイルを示す斜視図であり、置き敷きタイルの構造が分かりやすいように、一部破断して示している。図２は、図１に示した置き敷きタイルを裏面から見た斜視図である。
【００２３】
本実施の形態に係る置き敷きタイル１は、タイル本体２と、タイル本体２の一側表面の全面に配置された導電性部材３と、タイル本体２の導電性部材３が配置されている面と反対側の面に配置され、周囲が折り込まれて導電性部材３に接着されたタイルカバー４とを備えている。
【００２４】
タイル本体２は、約５００ｍｍ角×約３〜１０ｍｍ厚さの硬い可塑性プラスチックで形成されている。例えば、着色された硬質塩化ビニールや、廃棄後にリサイクルされた各種のプラスチックを混合して形成されたリサイクルプラスチックなどを使用して形成されている。
【００２５】
導電性部材３は、銅、アルミなどの電気抵抗の小さい導電性材料からなり、厚さが約１０〜１００μｍの箔であり、タイル本体２の裏面に接着剤などを使用して固定されている。タイルカバー４は、タイル本体２の表面を保護、又は装飾するためのシートである。
【００２６】
次に、本実施の形態に係る置き敷きタイル１を敷設する方法、及び敷設によって形成される敷設タイル床に関して説明する。
【００２７】
まず、従来技術と同様に、床面に下面保護シートを設置し、その上に薄型の電力用ケーブルを設置する。
【００２８】
次に、置き敷きタイル１を敷き詰めた場合に、隣接する置き敷きタイル１の裏面の導電性部材３の両方に接触するように、隣接する置き敷きタイル１の境界部分が位置する床面の位置に、所定の大きさの導電性接続手段５を設置する。導電性接続手段は導電性材料で形成されており、例えば、金属テープ、金属板などが使用され得る。
【００２９】
最後に、図３に示すように、置き敷きタイル１の導電性部材３が設置された面が床面６に接触するように、置き敷きタイル１を敷き詰める。図３では、電力用ケーブルなどは省略している。
【００３０】
図３には、１枚の置き敷きタイル１について４枚の導電性接続手段５が設置されている状態を示している。図４は、隣接する置き敷きタイル１の導電性部材３が、導電性接続手段５によって接触する状態を示す、置き敷きタイル１の裏面から見た斜視図である。即ち、１枚の置き敷きタイル１の裏面の導電性部材３は、４枚の導電性接続手段５を介して、周囲の４枚の置き敷きタイル１の裏面の導電性部材３と接触する。
【００３１】
ここで、電源コンセント、通信用ケーブル接続器などの床面６から大きく突出する機器が配置される場所に設置されるべき置き敷きタイル１は、それらの機器に対応する部分が切り抜かれている。
【００３２】
以上のように敷き詰められた置き敷きタイル１は、床面６に設置された導電性接続手段５によって、相互に電気的に接続される。
【００３３】
以上において、タイル本体２の形状が正方形の場合を説明したが、これに限定されず、平面を隙間無く敷き詰めることができる形状であればよい。
【００３４】
また、タイル本体２の大きさは、取り扱いの容易性を考慮して、適切な大きさに設計することができ、タイル本体２の厚さは、タイル本体２の材質の硬度を考慮して、ピン、刃物などの鋭利なものがタイル本体２を容易に貫通することがない厚さであればよい。
【００３５】
また、導電性部材３には、箔の代わりに、金属メッシュなどを用いてもよく、導電性塗料、例えば、銀、銅、ニッケル粉末などを導電性フィラーとして含む塗料を、タイル本体２の裏面に塗布、又は吹き付けして形成した導電層を使用してもよい。
【００３６】
また、導電性部材３は、タイル本体２の一側面の全体に配置せず、折り込まれる保護シート３の周囲部分を除いて配置するなど、タイル本体２の一側面の一部分のみに設置してもよい。
【００３７】
また、図５に示すように、タイル保護シート３をタイル本体２に取り付けた後に、導電性部材３を取り付けた構造であってもよく、タイルカバー４を備えていなくてもよい。
【００３８】
また、図３、４では、隣接する置き敷きタイル１の境界の位置に導電性接続手段５を配置する場合を説明したが、４枚の置き敷きタイル１の頂点が集まる位置に導電性接続手段を配置してもよい。また、全ての置き敷きタイル１を電気的に接続せずに、電力用ケーブルに重なる置き敷きタイル１のみを電気的に接続するように導電性接続手段５を配置してもよい。
【００３９】
また、置き敷きタイル１の敷設において、電力用ケーブルを設置する床面が滑らかで電力用ケーブルの下面を損傷することがなければ、下面保護シートを設置しなくともよい。
【００４０】
【発明の効果】
本発明によれば、置き敷きタイルのタイル本体を高硬度の可塑性材料で形成し、タイル本体の裏面に導電性部材を設置することによって、ピン、刃物などの鋭利な物から電力用ケーブルを保護するための保護シートを使用することなく、電力用ケーブルの保護及び漏電対策が可能であり、置き敷きタイル表面に凹凸を生じることがない。
【００４１】
また、配線及び置き敷きタイルの敷設作業においては、ケーブルを所定の位置に配置し、置き敷きタイルの裏面の導電性部材を相互に電気的に接続するための導電性接続手段を床面の所定の位置に配置した後、置き敷きタイルを並べるだけでよいことから、従来よりも作業時間が非常に短くなり、費用も低減することができる。
【００４２】
また、電気的な接続不良などが観測された場合や、ケーブル配線のメンテナンスを行う場合などに、該当する置き敷きタイルを容易に取り外すことができることから、作業が非常に容易となる。
【００４３】
また、置き敷きタイルの裏面の広い面積に導電性部材を設置することによって、床面との接触面積が大きく、効率的に漏洩電流を接地に逃がすことができる。
【図面の簡単な説明】
【図１】本発明の実施の形態に係る置き敷きタイルを一部破断して示す斜視図である。
【図２】本発明の実施の形態に係る置き敷きタイルを裏面から見た斜視図である。
【図３】本発明に係る置き敷きタイルの敷設方法を説明する斜視図である。
【図４】隣接して敷設された本実施の形態に係る置き敷きタイルの導電性部材が電気的に接続されている状態を示す、置き敷きタイルの裏面から見た斜視図である。
【図５】裏面が異なる順序で積層された本発明の実施の形態に係る置き敷きタイルを一部破断して示す斜視図である。
【図６】従来のアンダーカーペット配線を説明する斜視図である。
【符号の説明】
１    置き敷きタイル
２    タイル本体
３    導電性部材
４    タイルカバー
５    導電性接続手段
６、１０    床面
１１  下面保護シート
１２  電力用ケーブル
１３  上面保護シート
１４  粘着テープ
１５  タイルカーペット
【図１】
2005002613.tif 000003
【図２】
2005002613.tif 000004
【図３】
2005002613.tif 000005
【図４】
2005002613.tif 000006
【図５】
2005002613.tif 000007
【図６】
2005002613.tif 000008